(57)【要約】本発明は、一面に粘着剤の塗布された可撓性シート部材と、前記粘着剤の塗布されたシート部材の面上に貼り付けられた銀と、一つ以上の光繊維を含む治療用バンドを提供することで、經穴、発痛点及び患部付近で発生する人体微小電流及び遠赤外線などの光波を用いて、痛症、傷口などを患者自身で治療できるようにし、副作用がなく、かつ、施術も簡単で一般の人も容易に使用して治療することができる。【選択図】図１
2007521094.tif 000002
【特許請求の範囲】
【請求項１】
一面に粘着剤の塗布された可撓性シート部材と、前記粘着剤の塗布された前記シート部材の面上に貼り付けられた銀と、前記粘着剤の塗布された前記シート部材の面上に貼り付けられた一つ以上の光繊維を含むことを特徴とする治療用バンド。
【請求項２】
前記銀は、銀箔、銀線、銀糸織物、あるいはこれらの組み合わせであることを特徴とする請求項１に記載の治療用バンド。
【請求項３】
前記銀が前記銀箔である場合、前記光繊維は、前記シート部材と前記銀箔との間に所定の間隔をおいて位置していることを特徴とする請求項２に記載の治療用バンド。
【請求項４】
前記銀が前記銀線である場合、前記光繊維は、前記シート部材上に前記銀線と所定の間隔で繰り返して交互に配列していることを特徴とする請求項２に記載の治療用バンド。
【請求項５】
前記光繊維の長さが０.１乃至２ｃｍの範囲であることを特徴とする請求項１乃至４に記載の治療用バンド。
【請求項６】
前記粘着剤の塗布された前記シート部材の一面上に黒線をさらに含むことを特徴とする請求項５に記載の治療用バンド。
【発明の詳細な説明】
【技術分野】
【０００１】
本発明は、治療用バンドに関し、より詳しくは、一面に粘着剤の塗布された可撓性のシート部材と、前記粘着剤の塗布されたシート部材の面上に貼り付けられた銀と、一つ以上の光繊維を含む治療用バンドに関する。
【背景技術】
【０００２】
一般に、東洋医学の經穴及び西洋医学の発痛点(trigger  point)と呼ばれる人体部位は、周囲組織に比べ電気抵抗が低くて高い電気伝導性を示すところであり、昔から針を用いた治療が行われてきている。最近は、電気針、電子針、ＳＳＰ(Silver  Spike  Point)、経皮電気的神経刺激(TENS)、組織治癒電気刺激器(Electrical  Stimulation  for  Tissue；EST)などの治療方法及び治療機器などが開発され、臨床で活用されている。また、１９９５年３月７日付けで公開された日本公開特許公報「特開平７-５９８６７号」は、シート基材に接着剤層を塗布し、電気化学的ポテンシャルの異なる２種の物質を粉体または粒状に前記接着剤層に含有させた貼付シートを開示している。
【０００３】
しかし、従来の治療方法は、主にｍＡ単位の強い電流を機械装置で発生させて治療を行うものであるか、電気化学的に電流を発生させ、電圧及び電流の波形を調整できないものであり、疾病治療に最も適した電気刺激を発生するものではなく、前記方法を用いた治療効果は優れたものではなかった。世界各国の先進的な研究結果から、ｍＡ以上の強い高電流は、生物体の生理的活性を高めるよりは、むしろ弱めることもあることが分かり、細胞再生などの生理的活性は、生物体内で発生する程度の水準であるμＡ単位の微小電流で高い活性を示すことが分かる[R.O.Becker&G.Seldon共著、「生命と電気」精神世界社訳、１９９５;ジョンジンウ、「Electro Acuscope/Myopulseに関する微小電流論文集」、ジンヤンメディカル商社、１９９５参照]。また、人体を流れる電流は、温度、湿度などの外部的要因及び心理状態、体の状態のような内部要因により随時に変わり、その波形も身体の各部位ごとに異なる。よって、電気を用いて疾病を治療するためには、人体、特に、患部付近に発生する電流に近い波形や強さを有する電流を使用することが好ましい。
【０００４】
上記のことに着目し、本出願人は、臨床での事例をまとめて人体で発生する微小電流を用いて治療効果を高めた治療用磁気パッチを出願して特許を受けている[韓国特許第２２１６４０号参照]。
【０００５】
一方、光波を用いた治療法も前記電気的治療法とは別に開発されてきている。前記光治療法は、遠赤外線治療、紫外線治療、光化学療法、レーザー治療などがあり、特に、遠赤外線が人体に有益な影響をもたらすということは多くの文献から確認されている。遠赤外線を用いた治療機器または治療装置を市中で容易に購入できるほど、この分野に対する研究開発が盛んに行われている。登録実用新案公報第０２１３９３９号には、遠赤外線を放射するトルマリン粉末８０〜９０重量％及びキトサン粉末１０〜２０重量％からなるボール状の物質を、接着剤が塗布されており通気性のある綿素材の不織布に貼り付けた絆創膏が開示されている。また、人体でも微量の遠赤外線を始めとする光波が放出することが認められており、人体から放射される遠赤外線の強度及び分布を測定し、健康の異常有無を判断できる装置も最近開発されている。
【０００６】
ただ、前記電気治療法及び光波治療法に対する統合的且つ体系的な研究は、今のところ行われておらず、これに、本発明者は、電気的治療法や光波を用いた治療法を効率よく統合できる方法について研究を行い、数年間の臨床経験により本発明の完成に至った。
【発明の開示】
【発明が解決しようとする課題】
【０００７】
本発明は、上記問題点に鑑みなされたものであり、人体から自然に発生する微小電流及び光波を用いて痛症、傷口などの疾病を患者自身で治療できるようにし、副作用がなく、かつ、施術も簡単で一般の人も容易に使用して治療できる治療用バンドを提供することを目的とする。
【課題を解決するための手段】
【０００８】
上記の目的を達成するため、本発明による治療用バンドは、一面に粘着剤の塗布された可撓性シート部材と、前記粘着剤の塗布されたシート部材の面上に貼り付けた銀と、一つ以上の光繊維を含むことを特徴とする。
【０００９】
また、本発明の治療用バンドにおいて、前記銀は、銀箔、銀線、銀糸織物、あるいはこれらの組み合わせであることを特徴とする。
【００１０】
また、本発明の治療用バンドにおいて、前記銀が銀箔である場合、前記光繊維は、前記シート部材と前記銀箔との間に所定の間隔をおいて位置していることを特徴とする。
【００１１】
また、本発明の治療用バンドにおいて、前記銀が銀線である場合、前記光繊維は、前記シート部材上に前記銀線と所定の間隔で繰り返して交互に配列していることを特徴とする。
【００１２】
また、本発明の治療用バンドは、前記光繊維の長さが０.１乃至２ｃｍ範囲であることを特徴とする。
【００１３】
また、本発明の治療用バンドは、前記粘着剤の塗布されたシート部材の一面上に黒線をさらに含むことを特徴とする。
【発明の効果】
【００１４】
本発明による治療用バンドは、經穴、発痛点及び患部付近で発生した人体微小電流及び遠赤外線などの光波を用いて痛症、傷口などを患者自身で治療できるようにし、かつ施術も簡単で一般の人も容易に使用して治療できるという技術的効果がある。
【発明を実施するための最良の形態】
【００１５】
以下、本発明の好ましい実施の形態を、添付図面に基づいて詳しく説明する。
【００１６】
図１は、本発明の一実施例の分解斜視図である。図１に示すように、本発明の一実施例は、一面に粘着剤の塗布された可撓性シート部材１０の上に銀箔(silver  foil)２０と、光繊維３０とを貼り付けた治療用バンドである。
【００１７】
前記シート部材１０は、前記銀２０と、光繊維３０とをその表面上に貼り付けて固定する。また、前記シート部材１０は、人体の屈曲面にも密着して使用可能に可撓性のものが好ましい。よって、前記シート部材の材質は、金属、紙、合成樹脂、布、あるいは、これらの材料を含む材質であることが好ましい。特に、前記シート部材の材質が金属を含む場合には、金属成分としては、金、銀、白金、アルミニウム、あるいは、これらの合金成分が好ましい。前記可撓性シート部材上に塗布される粘着剤は、市販されるものであるか、使用可能なものであれば、何れも使用することができるが、人体に無害な成分のものである必要がある。
【００１８】
本発明の治療用バンドは、前記接着剤の塗布されたシート部材１０の一面上に貼り付けられた銀を含む。前記銀は、患部の周囲に発生する人体電流を患部に伝達する役割を果たす。前記銀は、銀粉、銀箔、銀線、銀糸織物、あるいは、これらの組み合わせであってもよい。
【００１９】
また、本発明の治療用バンドは、前記粘着剤の塗布されたシート部材１０の面上に貼り付けられる一つ以上の光繊維３０を含む。前記光繊維３０は、通常、光波を伝達するために使用されており、本発明の治療用バンドは、患部の周囲に発生した患者本人の遠赤外線などの光波を患部に放射できるようにしている。本発明者は、東洋医学的治療や研究を重ねるうち、前記遠赤外線治療機器を用いて治療することより患者自身の体から放射される遠赤外線などの光波をそのまま用いる方が治療効果に優れていることを臨床的経験で分かった。特に、患部の近くで発生する遠赤外線などの光波を用いることで治療効果を最大化できる。よって、前記光繊維３０の長さは、０.１乃至２ｃｍ範囲であることが好ましい。前記光繊維の長さが０.１ｃｍ未満である場合には、製造及び施術が難しく、光繊維による治療効果を期待し難く、２ｃｍを超過する場合には、患部から遠くなり、治療効果が著しく低下するためである。より詳しくは前記光繊維の長さを１.５ｃｍを超えないようにすることが好ましい。最も好ましい前記光繊維の長さは、０.３乃至１.２ｃｍ範囲である。
【００２０】
図１に示すように、前記銀が銀箔２０である場合には、前記光繊維３０は、前記シート部材１０と前記銀箔２０との間に所定の間隔で繰り返して配列し、光繊維３０の配列されている治療用バンドに所定の間隔で穿孔して又は分けて光繊維３０の長さを前記範囲に制限する。また、図２に示すように、本発明の治療用バンドは、パッチ状に製造する場合、粘着剤の塗布された所定の大きさのシート部材１０の一面上に銀線２０′及び一つ以上の光繊維３０を配列して製造するが、前記銀線２０′と、光繊維３０とを粘着剤の塗布されたシート部材１０の一面上に繰り返して配列し、これを０.１乃至２ｃｍの長さとなるように分離して使用できるように本発明の治療用バンドを銀線及び光繊維の配列された方向と垂直に数回切断して製造することが製造コストを低減できる点で好ましい。
【００２１】
また、図２に示すように、前記銀が銀線２０′である場合、本発明の治療用バンドは、粘着剤が塗布されており、その上に前記銀線２０′と、光繊維３０とが貼り付けられているシート部材１０の一面上に保護フィルム５０を貼り付けて前記粘着剤により治療用バンドが変形しないようにして製造し、使用前に前記保護フィルム５０を剥離し、絆創膏、使い捨てパッチなどのようなパッチ状で人体の患部に貼り付けて使用できるようにする。前記保護フィルム５０は、プラスチックフィルムなどが好ましいが、これに制限されるものではない。
【００２２】
また、本発明の治療用バンドは、前記粘着剤の塗布されたシート部材１０の一面上に光を吸収する黒線４０をさらに備えてもよい。図２及び図３に示すように、本発明の治療用バンドの黒線４０は、銀線２０′及び光繊維３０と所定の間隔で並んで配列された構造にしてもよい。白色は光を反射する性質があり、黒色は光を吸収する性質がある。本発明の治療用バンドの黒線４０は、他の構成要素の白色と共に使用され、人体に影響を与える光波を吸収したり、反射したりして人体の平衡状態を保ち、人体を気楽にさせたり、治療する機能をする。前記黒線４０は、光を吸収できる黒色を示せばよいし、その材質は限定されるものではない。前記黒線４０を構成する黒色の材料としては、黒鉛、酸化鉄、活性炭、あるいは、これらの混合物が好ましいが、前記物質に限定されるものではない。
【００２３】
本発明の治療用バンドは、絆創膏、使い捨てパッチなどのようなパッチ状で人体に直接貼り付けて使用してもよいし、かつ、人体に直接貼り付けることなく患部の近くに位置させて使用してもよい。
【図面の簡単な説明】
【００２４】
【図１】本発明の一実施例による銀箔及び光繊維がシート部材に貼り付けられた形態の治療用バンドの斜視図である。
【図２】本発明の他の実施例による銀線、光繊維及び黒線がシート部材に貼り付けられ、その上に保護フィルムが貼り付けられた形態の治療用バンドの斜視図である。
【図３】図２の治療用バンドの構造を詳しく説明するための一部拡大図である。
【図１】
2007521094.tif 000003
【図２】
2007521094.tif 000004
【図３】
2007521094.tif 000005
【国際調査報告】
2007521094.tif 000006
2007521094.tif 000007